【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とするテラヘルツ波発生装置。
【請求項２】
前記第１のパルス圧縮部または前記増幅部は、少なくとも１回、折り曲げてなる導波路を有する請求項１に記載のテラヘルツ波発生装置。
【請求項３】
前記光源装置は、前記導波路の折り曲げ部分に、光パルスを反射させる反射膜を有する請求項２に記載のテラヘルツ波発生装置。
【請求項４】
前記光源装置は、前記光パルス発生部と、前記第１のパルス圧縮部と、前記第２のパルス圧縮部と、前記増幅部とを有する複数の単位ユニットを備え、該複数の単位ユニットが並設されている請求項１ないし３のいずれかに記載のテラヘルツ波発生装置。
【請求項５】
テラヘルツ波を発生するテラヘルツ波発生装置と、
前記テラヘルツ波発生装置から出射し、対象物を透過または反射したテラヘルツ波を検出するテラヘルツ波検出装置とを備え、
前記テラヘルツ波発生装置は、光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とするカメラ。
【請求項６】
テラヘルツ波を発生するテラヘルツ波発生装置と、
前記テラヘルツ波発生装置から出射し、対象物を透過または反射したテラヘルツ波を検出するテラヘルツ波検出装置と、
前記テラヘルツ波検出装置の検出結果に基づいて、前記対象物の画像を生成する画像生成部とを備え、
前記テラヘルツ波発生装置は、光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とするイメージング装置。
【請求項７】
テラヘルツ波を発生するテラヘルツ波発生装置と、
前記テラヘルツ波発生装置から出射し、対象物を透過または反射したテラヘルツ波を検出するテラヘルツ波検出装置と、
前記テラヘルツ波検出装置の検出結果に基づいて、前記対象物を計測する計測部とを備え、
前記テラヘルツ波発生装置は、光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とする計測装置。
【請求項８】
光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とする光源装置。
【手続補正２】
【補正対象書類名】明細書
【補正対象項目名】発明の名称
【補正方法】変更
【補正の内容】
【発明の名称】テラヘルツ波発生装置、カメラ、イメージング装置、計測装置および光源装置
【手続補正３】
【補正対象書類名】明細書
【補正対象項目名】０００９
【補正方法】変更
【補正の内容】
【０００９】
本発明のテラヘルツ波発生装置では、前記光源装置は、前記光パルス発生部と、前記第１のパルス圧縮部と、前記第２のパルス圧縮部と、前記増幅部とを有する複数の単位ユニットを備え、該複数の単位ユニットが並設されていることが好ましい。
これにより、各単位ユニットから出射した光パルスを、アンテナの共通の１対の電極の電極間に照射することにより、高出力のテラヘルツ波を発生することができる。
【手続補正４】
【補正対象書類名】明細書
【補正対象項目名】００１０
【補正方法】変更
【補正の内容】
【００１０】
本発明のカメラは、テラヘルツ波を発生するテラヘルツ波発生装置と、
前記テラヘルツ波発生装置から出射し、対象物を透過または反射したテラヘルツ波を検出するテラヘルツ波検出装置とを備え、
前記テラヘルツ波発生装置は、光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とする。
これにより、前記本発明の効果を有するカメラを提供することができる。
【手続補正５】
【補正対象書類名】明細書
【補正対象項目名】００１２
【補正方法】変更
【補正の内容】
【００１２】
本発明の計測装置は、テラヘルツ波を発生するテラヘルツ波発生装置と、
前記テラヘルツ波発生装置から出射し、対象物を透過または反射したテラヘルツ波を検出するテラヘルツ波検出装置と、
前記テラヘルツ波検出装置の検出結果に基づいて、前記対象物を計測する計測部とを備え、
前記テラヘルツ波発生装置は、光パルスを発生する光源装置と、
前記光源装置で発生した光パルスが照射されることによりテラヘルツ波を発生するアンテナとを備え、
前記光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とする。
これにより、前記本発明の効果を有する計測装置を提供することができる。
本発明の光源装置は、光パルスを発生する光パルス発生部と、
前記光パルス発生部で発生した光パルスに対し、可飽和吸収に基づくパルス圧縮を行う第１のパルス圧縮部と、
前記第１のパルス圧縮部でパルス圧縮がなされた光パルスに対し、群速度分散補償に基づくパルス圧縮を行う第２のパルス圧縮部と、
前記第１のパルス圧縮部の前段、または前記第１のパルス圧縮部と前記第２のパルス圧縮部との間に設けられ、光パルスを増幅する増幅部とを有することを特徴とする。
【手続補正６】
【補正対象書類名】明細書
【補正対象項目名】００２８
【補正方法】変更
【補正の内容】
【００２８】
図５に示すように、第２実施形態のテラヘルツ波発生装置１では、光源装置３は、光パルス発生部４と、第１のパルス圧縮部５と、増幅部６と、第２のパルス圧縮部７とを有する複数の単位ユニット８を備えており、これらの単位ユニット８が並設、すなわちアレイ化されている。各単位ユニット８は、それぞれ、前記第１実施形態における光源装置３に対応している。